(57)【要約】【課題】作業能率を向上させたクレーン仕様油圧ショベルの油圧回路を提供することを課題とする。【構成】旋回モータ用リモコン弁に操作検出回路を設けて、検出回路の出力を電磁開閉弁の入力側ポートに接続し、出力側ポートはシャトル弁を介して吐出流量を制御するレギュレータの信号ポートに接続し、電磁開閉弁のソレノイドをコントローラの出力側に接続し、コントローラの入力側に該クレーン仕様の選択スイッチに接続し、該コントローラはクレーン仕様スイッチが選択されたときに操作検出回路の出力と該レギュレータの信号ポートが連通するように構成した。【選択図】　　図１
2004028264.tif 000002
【特許請求の範囲】
【請求項１】
油圧ポンプの吐出流量をセンタ油路の下流に設けられた負帰還用絞りによって制御しているクレーン仕様油圧ショベルの油圧回路において、旋回モータ用リモコン弁に操作検出回路を設けて、該検出回路の出力を電磁開閉弁の入力側ポートに接続し、該出力側ポートはシャトル弁を介して前記ポンプの吐出流量を制御するレギュレータの信号ポートに接続し、該電磁開閉弁のソレノイドをコントローラの出力側に接続し、該コントローラの入力側に該クレーン仕様の選択スイッチに接続し、該コントローラはクレーン仕様スイッチが選択されたときに前記操作検出回路の出力と該レギュレータの信号ポートが連通するように構成したことを特徴とするクレーン仕様油圧ショベルの油圧回路。
【発明の詳細な説明】
【０００１】
【発明の属する技術分野】
この発明は、クレーン仕様油圧ショベルの油圧回路における操作性の改良に関するものである。
【０００２】
【従来技術】
従来から油圧ショベル等の作業機械の油圧回路では、旋回モータの安全な旋回速度を確保するために、例えば公開特許公報、特開２０００−１７０２１２号に開示されているように、旋回モータの切換弁又は油路にブリードオフ回路を設けて旋回速度を制限している。一方、クレーン仕様にした油圧ショベルの油圧回路では、クレーン仕様をスイッチ等で選択した場合には一律にエンジンの回転数を極度に落として安全な旋回速度を確保する構成が採用されていた。
【０００３】
上記したような従来回路では、ブリードオフを設けて旋回速度を制限しているだけでなく、更に、クレーン仕様を選択するとエンジンの回転数が減少するために、旋回モータ以外のアクチュエータの操作速度が遅くなるために旋回以外の他の操作において作業能率が悪化するという問題があった。また、旋回と吊り作業との複合操作においても作業能率が低下するという課題があった。
【０００４】
【発明が解決しようとする課題】
本発明は、上記事実に鑑みなされたものであり、重複した回路構成を簡潔にし、作業能率を向上させたクレーン仕様油圧ショベルの油圧回路を提供することを課題とする。
【０００５】
【課題を解決するための手段】
本発明は上記の課題を解決するための手段として以下の構成を採用している。即ち、
請求項１に記載の発明は、油圧ポンプの吐出流量をセンタ油路の下流に設けられた負帰還用絞りによって制御しているクレーン仕様油圧ショベルの油圧回路において、旋回モータ用リモコン弁に操作検出回路を設けて、該検出回路の出力を電磁開閉弁の入力側ポートに接続し、該出力側ポートはシャトル弁を介して前記ポンプの吐出流量を制御するレギュレータの信号ポートに接続し、該電磁開閉弁のソレノイドをコントローラの出力側に接続し、該コントローラの入力側に該クレーン仕様の選択スイッチに接続し、該コントローラはクレーン仕様スイッチが選択されたときに前記操作検出回路の出力と該レギュレータの信号ポートが連通するように構成したことを特徴としている。
【０００６】
【発明の実施の形態】
以下本発明の実施形態の回路構成を図１に示す。以下、図１に基づいて説明する。図１において、油圧ポンプ１１のセンタ油路１２に下流に向かって、走行モータ２３の方向切換弁１３、旋回モータ２４の方向切換弁１４、油圧シリンダ２５の方向切換弁１４等並びに負帰還用絞り１６がタンデムに接続されている。油圧ポンプ１１の吐出量を制御するレギュレータ１８の制御ポートにはシャトル弁１９を介してネガコン油路（負帰還制御用油路）及び旋回速度を制限する油路２１が接続されている。リモコン弁２６は方向切換弁１４を操作するリモコン弁で、その出力圧を出力するパイロット油路２６ａ、２６ｂは方向切換弁１４のそれぞれのパイロットポートに接続されている。
【０００７】
パイロット油路２６ａ、２６ｂは同時にまたシャトル弁２７の入力ポートに接続されており、シャトル弁２７の出力油路２８によって旋回モータ用リモコン弁２６の操作が検出される。シャトル弁２７の出力油路２８は電磁開閉弁３１の入力側ポートに接続され、他の入力ポートには油タンクが接続されている。電磁開閉弁３１のソレノイドはコントローラ３０の出力端子に接続され、コントローラ３０の入力端子にはクレーン仕様を選択するスイッチ３２が接続されている。スイッチ３２はクレーン仕様が選択されたときはオン（接続）し、選択されないときはオフ（遮断）となる。また、コントローラ３０はクレーン仕様が選択されたときは電磁開閉弁３１を状態「イ」から「ロ」に切り換える。選択されないときは状態「イ」にする。
【０００８】
本実施形態は上記の構成により、以下のように機能する。即ち、クレーン仕様を選択しない場合は通常の油圧ショベルと同様に機能する。クレーン仕様を選択した場合は電磁開閉弁３１が状態「ロ」に切り換わる。しかし、リモコン弁２６が未操作状態にあるときはシャトル弁２７の出力油路２８はタンク油圧で、クレーン仕様のない従来回路と同様に機能する。即ち、レギュレータ１８の制御ポートにはシャトル弁１９を介してネガコン油路（負帰還制御用油路）２０からの油圧（以下、ネガコン圧という）が作用して、レギュレータは従来通りに吐出流量を制御する。電磁開閉弁３１が状態「ロ」にあるときにリモコン弁２６の操作を検出するとシャトル弁２７の出力油路２８には操作量に応じた油圧が発生し、シャトル弁１９の一方の入力油路２１にこの油圧が作用する。この場合、レギュレータ１８はネガコン圧と油路２１の油圧の何れか大きい方の油圧によって制御される。以下にこの場合について述べる。
【０００９】
ネガコン圧が大きい場合、例えば、方向切換弁１５が中立状態（又はアクチュエータ２５は未操作状態）で、旋回モータ２４が操作状態にある場合は以下のように機能する。この場合にはネガコン圧が大きく、また旋回モータ２４を操作しても方向切換弁１４にはブリードオフ油路（絞り１４ａ、１４ｂが設けられて油路）が設けられているために、ポンプ吐出流量は殆ど増大しない。図２はこの状態を擬似的に示した図である。即ち、旋回メインスプール１４のブリードオフ油路（開口）はストローク中半間でかなり開けているためにネガコン圧は殆ど変化せず、吐出流量も殆ど増大しない。また旋回操作を深く行った場合でも、シャトル弁２７からのパイロット圧が大きくなり、この油圧が作用するためにポンプ吐出流量は殆ど変化しない。従って、吊り操作時（吊った状態でアーム、ブームを一定状態に維持している場合）に旋回モータを操作しても所定の制限された速度範囲で旋回し、安全が確保されている。
【００１０】
次に、ネガコン圧が小さい場合、例えば、方向切換弁１５が非中立状態（又はアクチュエータ２５はフル操作状態）で、旋回モータ２４が操作状態にある場合は以下のように機能する。この場合には、旋回モータ２４はゆっくりと遅い速度で操作されるから、アクチュエータ２５は同じ状態で操作可能であり、作業能率は低下しない。なお、旋回モータ２４が速い速度で操作されるおそれがあり、この場合はリモコン弁２６からのパイロット圧が作用し、油圧ポンプ１１の吐出量はあまり変化せず、しかもブリードオフ回路によってある程度の圧油が下流にも流れるためにアクチュエータ２５の作業能率は多少低下するが安全は確保される。
【００１１】
本実施形態は、以上に述べた構成、機能により以下の効果を有する。クレーン仕様を選択した場合であっても、他の操作との複合操作、例えば吊り作業と旋回作業の複合操作において、他の操作の作業能率が著しく低下すること防止し、しかもクレーン作業の安全性が確保されているという効果が得られる。
【００１２】
以上本発明の実施形態を図面に基づいて詳述してきたが、本発明の技術的範囲はこれに限られるものではない。例えばブリードオフ油路を旋回用方向切換弁のメインスプールに設けた場合でなく、専用の電磁弁を利用してブリードオフ油路を設けた場合にも本発明は適用でき、これらの場合も本発明の技術的範囲に属するものである。
【００１３】
【発明の効果】
本発明によれば、クレーン仕様の場合は旋回モータ用リモコン弁の出力圧も油圧ポンプのレギュレータ信号ポートに作用するように構成したので、クレーンと他の操作との複合操作において、他の操作の作業能率が著しく低下すること防止し、しかもクレーン作業の安全性が確保されているという効果が得られる。
【図面の簡単な説明】
【図１】本発明を実施した実施形態の回路構成を示す。
【図２】旋回用の方向切換弁のメインスプールを半開きした場合の説明図である。
【符号の説明】
１１　　　　　油圧ポンプ
１３　　　　　走行用方向切換弁
１４　　　　　旋回用方向切換弁
１４ａ，１４ｂ　　　ブリードオフ油路
１５　　　　　他の操作用方向切換弁
１６　　　　　ネガコン用絞り
１８　　　　　レギュレータ
２０　　　　　ネガコン油路
２６　　　　　旋回用リモコン弁
２７　　　　　操作検出回路
３０　　　　　コントローラ
３１　　　　　電磁開閉弁
３２　　　　　クレーン仕様選択スイッチ
【図１】
2004028264.tif 000003
【図２】
2004028264.tif 000004